(57)【要約】【課題】エアゾール管又は軟質ポリ塩化ビニル等を素材として用いた容器にコマセを封入した収納体と、これを保持しつつ水の抵抗を利用し、収納体内部のコマセを必要に応じ、水中に吐出拡散させる。【解決手段】コマセ収納体１０に噴射孔９ａ、９ｂを設けたシリンダー４ａを取り付け、回転自在の釣り糸掛け軸２及び釣り糸掛け孔３ａを設けたコマセ収納体収納カートリッジ１ａに収納保持され、バランスウエイト２０ａを収納したキャップ１９ａがコマセ収納体収納カートリッジ１ａに取り付け固定される。又シリンダー４ａ上部に羽根５ａ、５ｂ、５ｃ、５ｄが嵌め込まれ、フック６ａ、６ｂ、６ｃ、６ｄに水圧調整ゴムリング８を取り付ける。【選択図】　　　図４
2004041169.tif 000002
【特許請求の範囲】
【請求項１】
コマセを寄せ餌として釣るコマセ釣りに用いるコマセをエアゾール缶又は軟質のポリ塩化ビニル等の素材を用いた容器に封入してなるコマセ収納体に、該コマセを水圧によって適度に水中へ撒けるような機構を具備し、このコマセ収納体を収納保持するカートリッジからなることを特長としたコマセ拡散装置。
【請求項２】
コマセを吐出させるために竿を大きく上げ下げした時の水圧を、コマセ収納体を圧縮する力として利用するための機構と圧縮時にコマセを吐出する機構とを共に備えたことを特長とした請求項１記載の拡散装置。
【発明の詳細な説明】
【０００１】
【発明の属する技術分野】
本発明は、エアゾール缶又は軟質のポリ塩化ビニル等の素材を用いた容器にコマセを封入した収納体と、これを保持しつつ水の抵抗を利用し、収納体内部のコマセを必要に応じ、水中に吐出拡散させるための収納体圧縮拡散装置機構に関するものである。
【０００２】
【従来の技術】
寄せ餌のコマセをネット状のコマセ籠や、コマセ袋へイワシのミンチやオキアミを入れて海中の適度な深さまで沈め、釣竿を上下に揺すってコマセを海中に撒くことで、魚が群がって来て釣り針に掛かりつりあげると言うのが従来のコマセ釣りである。
【０００３】
【発明が解決しようとする課題】
従来の方法でコマセとして主に使用されるイワシのミンチ等は、悪臭を発し又、船、陸に限らず釣り場周辺、及び釣り人自身までが著しく汚れ、更に魚を釣り上げる時の水の抵抗により、コマセが籠より海中に流れ出し空になるか、著しく減り、その都度コマセを籠に詰める手間が要るため、時間がいたずらに浪費される。と同時にその間釣りに費やされるべき時間も損失することとととなる。
【０００４】
【課題を解決する手段】
上記の問題点を解決するために、本発明は、コマセをエアゾール缶又は軟質のポリ塩化ビニル等の素材を用いた蛇腹円筒形状の容器に封入した収納体の上部に、水圧を効果的に得るため一定角度動作する羽根を複数設けたシリンダー及び収納体の垂直バランスを保つウエイトを取り付け構成され、カートリッジに収納保持されている。
【０００５】
コマセ釣りの仕掛けに、上記コマセ収納体を収納保持したカートリッジを取り付け、海中に投下し、竿を大きく上下すると、シリンダー及び複数の羽根に大きな水圧が掛かり、エアゾール缶コマセ収納体の場合は導管を、軟質のポリ塩化ビニル等の素材を用いた蛇腹円筒形状コマセ収納体の場合は該収納体上部が圧し下げられ、それぞれの噴射孔よりコマセが吐出される。
【０００６】
コマセ吐出は大きな水圧がシリンダー及び複数の羽根に掛かったときのみ作動するように構成し、吐出を可能にしている。又、水圧を得るための羽根は、釣り上げ時の一定のスピード下では、水の抵抗を減らすためゴムリングの収縮力により、該羽根を上方へ折りたたむ水圧調整機構が具備されている。
【０００７】
【発明の実施と形態】
本発明の構成と形態を図２〜図８に依って説明する。
エアゾール缶コマセ収納体１０は、導管１２ａ、密封板１３、弁板１４ａ、バネ装着筒１１、圧縮バネ１５ａ、吸い上げ管１６を設け形成され、内部にコマセ１８と液化ガス１７が封入されている。シリンダー４ａは、噴射孔９ａ、９ｂが設けられ又、上部には羽根取り付け突起部７を設け形成され、導管１２ａに取り付けられている。
上記のエアゾール缶コマセ収納体１０は、上部に回転自在の釣り糸掛け軸２及び釣り糸掛け孔３ａを設けたコマセ収納体収納カートリッジ１ａに収納保持され、バランスウエイト２０ａを収納したキャップ１９ａがコマセ収納体収納カートリッジ１ａに取り付け固定される。上記シリンダー４ａは水圧で加圧された際正しく動作するように、該コマセ収納体収納カートリッジ１ａの内壁とシリンダー４ａ外径は一定の隙間を設け形成している。又キャップ１９ａ下部には釣り糸掛け孔３ｂが設けられている。又、水圧を受け易くするために設けた羽根５ａ、５ｂ、５ｃ、５ｄは水圧を直接受ける内側の略中間部分にフック６ａ、６ｂ、６ｃ、６ｄを形成、該フックに水圧調整ゴムリング８を取り付け、羽根取り付け突起部７に嵌め込まれ構成されている。
【０００８】
又、軟質ポリ塩化ビニル等の素材を用いた蛇腹円筒形状のコマセ収納体２１は、導管１２ｂ、中心部に噴射孔９ｃ及び下部にＯリング２２を設け形成され、内部にコマセ１８が注入されている。シリンダー４ｂは、上部に羽根取り付け突起部６を設け下部側面にリング状のバランスウエイト２０ｂが嵌め込み形成され蛇腹円筒形状のコマセ収納体２１に取り付けられている。
上記蛇腹円筒形状のコマセ収納体２１は、キャップ１９ｂに取り付けるが、該キャップ１９ｂは圧縮バネ１５ｂ、弁板１４ｂ，コマセ収納体取り付けリング２３を設け形成され、該コマセ収納体取り付けリング２３に、コマセ収納体２１に設けた導管１２ｂを嵌め込み固定される。又、キャップ１９ｂ下部には釣り糸掛け孔３ｂが設けられ周辺近傍にコマセ排出口２４ａ、２４ｂ、２４ｃ、２４ｄ、が設けられている。
上記蛇腹円筒形状のコマセ収納体２１及びキャップ１９ｂは、上部に回転自在の釣り糸掛け軸２及び釣り糸掛け孔３ａを設けたコマセ収納体収納カートリッジ１ｂに収納保持され、該コマセ収納体収納カートリッジ１ｂはキャップ１９ｂに取り付け固定される。上記シリンダー４ｂは水圧で加圧された際正しく動作するように、該コマセ収納体収納カートリッジ１ｂの内壁とシリンダー４ｂ外径は一定の隙間を設け形成している。又、水圧を受け易くするために設けた羽根５ａ、５ｂ、５ｃ、５ｄは水圧を直接受ける内側の略中間部分にフック６ａ、６ｂ、６ｃ、６ｄを形成、該フックに水圧調整ゴムリング８を取り付け、羽根取り付け突起部７に嵌め込まれ構成されている。
【０００９】
【実施例】
本発明の、実施例を図１〜図１３によって説明する。
一例として、竿２５にリール２６を取り付け道糸２７をコマセ収納体収納カートリッジ１ａの釣り糸かけ回転軸２に設けた釣り糸掛け孔３ａに取り付け幹糸２８は該コマセ収納体収納カートリッジ１ａのキャップ１９ａに設けた釣り糸掛け孔３ｂ取り付け、釣り針２９、ヨリモドシ３０、スナップ３１、オモリ３２で仕掛けを構成し、道糸２７以下の仕掛けを海中に投下し、リール２６に依って必要な水深まで沈ませる。此の際コマセ収納体収納カートリッジ１ａは、オモリ３２とバランスウエイト２０ａ、又は２０ｂによって垂直に沈み、シリンダー４ａ、又は４ｂ上部に取り付けた羽根５ａ、５ｂ、５ｃ、５ｄは水圧調整ゴムリング８の収縮力により羽根は上方に折りたたまれ沈む。此の後竿２５を大きく引き上げると羽根５ａ、５ｂ、５ｃ、５ｄ内側及びシリンダー４ａ又は４ｂ上部に大きな水圧が掛かり羽根５ａ、５ｂ、５ｃ、５ｄは水平に開き此の圧力によりシリンダー４ａは垂直に圧し下げられる。
【００１０】
以上の動作によりコマセエアゾール缶収納体１０の場合は、シリンダー４ａに取り付けた導管１２ａ及び、弁板１４ａ、圧縮バネ１５ａが圧し下げられ、密封板１３と弁板１４ａに密封されていた弁が開き、コマセ１８が噴射孔９ａ、９ｂより吐出される。その後、竿２５の引き上げを停止又は下げるとシリンダー４ａ及び羽根５ａ、５ｂ、５ｃ、５ｄに掛かる圧力はストップし、圧縮バネ１５ａの圧力により弁は閉じコマセ１８の吐出は停止する。又、羽根５ａ、５ｂ、５ｃ、５ｄは、水圧調整ゴムリング８の収縮力により上方へ折りたたむ。
【００１１】
又、蛇腹円筒形状のコマセ収納体２１の場合は、該蛇腹円筒形状の収納体２１が圧し下げられるため、コマセ１８に圧力が掛かり、導管１２ｂ及びＯリング２２、圧縮バネ１５ｂ、弁板１４ｂに依って密閉されていたコマセ１８が、噴射孔９ｃより吐出される。その後、竿２５の引き上げを停止又は下げるとシリンダー４ｂ及び羽根５ａ、５ｂ、５ｃ、５ｄに掛かる圧力はストップし圧縮バネ１５ｂの圧力により弁板１４ｂは閉じコマセ１８の吐出は停止する。此の際コマセ１８の内部に噴射孔９ｃからの海水の侵入はないため、蛇腹円筒形状のコマセ収納体２１及び、シリンダー４ｂはコマセ１８の吐出後の状態で維持される。又、羽根５ａ、５ｂ、５ｃ、５ｄは、水圧調整ゴムリング８の収縮力により上方へ折りたたむ。
【００１２】
又、魚を釣り上げる時の一定スピード下では、水の抵抗を減らすため設けた水圧調整ゴムリング８の収縮力により、羽根５ａ、５ｂ、５ｃ、５ｄを上方へ折りたたむため、羽根５ａ、５ｂ、５ｃ、５ｄ及び、シリンダー４ａ、４ｂには圧力は掛からずコマセ１８が海中に吐出されることはない。
【００１３】
【発明の効果】
本発明のコマセ収納体は、ガスの圧力によりコマセを吐出させるタイプのエアゾール缶を利用したものと、軟質ポリ塩化ビニル等の素材を用いた袋を利用したものとに大別できる。どちらの方式も吐出機能を持たせてあり、一つの収納体で数十回の使用を可能にすると共に、コマセによる釣り場周辺、及び釣り人自身が汚れることが防げる。又、収納体は収納保持するカートリッジに収納され使用時の安定性を高めている。
エアゾールを使用した収納体では、コマセをムース状に吐出させ、海底に沈みにくくすることが可能でありその結果、同じ場所へ従来の方法よりも長く留まらせることができ、集魚効果を持続させることができ、今まで以上の釣果が期待できる。軟質ポリ塩化ビニル等の素材を用いたコマセ収納体は蛇腹円筒形状にすることで、上方向からの圧力に対し、圧縮し易く中身のコマセを容易に吐出させることができる。又、その素材の安さ故、消費者に対し非常に安価に提供することができる。
【図面の簡単な説明】
【図１】コマセ釣仕掛けの一例を示す正面図。
【図２】エアゾール缶コマセ収納体収納カートリッジを示す平面図。
【図３】エアゾール缶コマセ収納体収納カートリッジを示す正面図。
【図４】エアゾール缶コマセ収納体収納カートリッジを示すＡ−Ａ断面拡大図
。
【図５】蛇腹円筒形状のコマセ収納体収納カートリッジを示す平面図。
【図６】蛇腹円筒形状のコマセ収納体収納カートリッジを示す正面図。
【図７】蛇腹円筒形状のコマセ収納体収納カートリッジを示す底面図。
【図８】蛇腹円筒形状のコマセ収納体収納カートリッジを示すＢ−Ｂ断面拡大図
【図９】エアゾール缶コマセ収納体収納カートリッジの海中投下の実施例を示すＡ−Ａ断面拡大図。
【図１０】エアゾール缶コマセ収納体収納カートリッジの水圧によるコマセ吐出の実施例を示すＡ−Ａ断面拡大図。
【図１１】蛇腹円筒形状のコマセ収納体収納カートリッジの海中投下の実施例を示すＢ−Ｂ断面拡大図。
【図１２】蛇腹円筒形状のコマセ収納体収納カートリッジの水圧によるコマセ吐出の実施例を示すＢ−Ｂ断面拡大図。
【図１３】蛇腹円筒形状のコマセ収納体収納カートリッジのコマセ吐出後の状態を示すＢ−Ｂ断面拡大図。
【符号の説明】
１ａ、１ｂ：コマセ収納体収納カートリッジ
２：釣り糸掛け軸
３ａ、３ｂ：釣り糸掛け孔
４ａ、４ｂ：シリンダー
５ａ、５ｂ、５ｃ、５ｄ：羽根
６ａ、６ｂ、６ｃ、６ｄ：フック
７：羽根取り付け突起部
８：水圧調整ゴムリング
９ａ、９ｂ、９ｃ：噴射孔
１０：エアゾール缶コマセ収納体
１１：バネ装着筒
１２ａ、１２ｂ：導管
１３：密封板
１４ａ、１４ｂ：弁板
１５ａ、１５ｂ：圧縮バネ
１６：吸い上げ管
１７：液化ガス
１８：コマセ
１９ａ、１９ｂ：キャップ
２０ａ、２０ｂ：バランスウエイト
２１：蛇腹円筒形状のコマセ収納体
２２：Ｏリング
２３：コマセ収納体取り付けリング
２４ａ、２４ｂ、２４ｃ、２４ｄ：コマセ排出口
２５：竿
２６：リール
２７：道糸
２８：幹糸
２９：釣り針
３０：ヨリモドシ
３１：スナップ
３２：オモリ
【図１】
2004041169.tif 000003
【図２】
2004041169.tif 000004
【図３】
2004041169.tif 000005
【図４】
2004041169.tif 000006
【図５】
2004041169.tif 000007
【図６】
2004041169.tif 000008
【図７】
2004041169.tif 000009
【図８】
2004041169.tif 000010
【図９】
2004041169.tif 000011
【図１０】
2004041169.tif 000012
【図１１】
2004041169.tif 000013
【図１２】
2004041169.tif 000014
【図１３】
2004041169.tif 000015